(57)【要約】【課題】複数段に配置した液晶パネル等の光変調装置で形成した画像を投射する場合にも、投射画像を高輝度とすることができるプロジェクタを提供すること。【解決手段】第１光変調装置５０に入射させる照明光として、光源ユニット２０の照明光結合部２４において、第１光源装置２１Ａからの照明光と第２光源装置２１Ｂからの照明光とを無駄なく合成した単一の光束として均一照明光学系３０に導くので、高輝度の照明光によって第１光変調装置５０ひいては第２光変調装置８０を照明することができ、結果的に明るい画像を投射することができる。【選択図】図１
2007219222.tif 000002
【特許請求の範囲】
【請求項１】
照明用の光を放射する発光部を有する第１発光管と、前記第１発光管から放射された光
を反射する第１反射鏡とを有する第１光源装置と、
前記第１光源装置から射出された照明光を第１方向の偏光に揃える第１偏光変換部と、
照明用の光を放射する発光部を有する第２発光管と、前記第２発光管から放射された光
を反射する第２反射鏡とを有する第２光源装置と、
前記第２光源装置から射出された照明光を前記第１方向と異なる第２方向の偏光に揃え
る第２偏光変換部と、
前記第１光源装置に対向して配置され前記第１方向の偏光を入射させる第１入射面と、
前記第２光源装置に対向して配置され前記第２方向の偏光を入射させる第２入射面とを有
し、前記第１入射面を介して入射した前記第１方向の偏光と、前記第２入射面を介して入
射した前記第２方向の偏光とを結合して射出する偏光合成部と、
前記偏光合成部で結合された照明光を画像情報に応じて変調する第１光変調装置と、
前記第１光変調装置で変調された変調光を一旦結像させるリレー光学系と、
前記リレー光学系によって結像された像光を画像情報に応じて変調する第２光変調装置
と、
前記第２光変調装置で変調された変調光を像光として投射する投射光学系と
を備えるプロジェクタ。
【請求項２】
前記第１及び第２光源装置は、前記第１及び第２発光管から前記第１及び第２反射鏡の
外側に向けて放射された光をそれぞれ前記第１及び第２発光管の前記発光部に戻す副反射
部をそれぞれ備える請求項１記載のプロジェクタ。
【請求項３】
前記第１及び第２光源装置は、楕円面の反射面を有する前記第１及び第２反射鏡からの
収束光を平行化する平行化レンズをさらに備える請求項１及び請求項２のいずれか一項記
載のプロジェクタ。
【請求項４】
前記第１偏光変換部は、前記第１光源装置からの光束のうち第１偏光成分に係る光束を
透過し第２偏光成分に係る光束を反射する第１偏光分離面と、当該第１偏光分離面からの
前記第２偏光成分に係る光束を前記第１偏光成分に係る光束に平行な方向に向けて反射す
る第１反射面と、前記第１及び第２偏光成分に係る光束のいずれか一方である前記第２方
向の偏光を他方である前記第１方向の偏光に変換して射出する第１位相素子とを有し、
前記第２偏光変換部は、前記第２光源装置からの光束のうち第１偏光成分に係る光束を
透過し第２偏光成分に係る光束を反射する第２偏光分離面と、当該第２偏光分離面からの
前記第２偏光成分に係る光束を前記第１偏光成分に係る光束に平行な方向に向けて反射す
る第２反射面と、前記第１及び第２偏光成分に係る光束のいずれか一方である前記第１方
向の偏光を他方である前記第２方向の偏光に変換して射出する第２位相素子とを有する請
求項１から請求項３のいずれか一項記載のプロジェクタ。
【請求項５】
前記偏光合成部と前記第１光変調装置との間に、前記偏光合成部から射出された照明光
を均一化する光均一化手段と、前記偏光合成部から射出された照明光の偏光方向を一種類
の直線偏光に揃える偏光変換光学系とをさらに備える請求項１から請求項４のいずれか一
項記載のプロジェクタ。
【請求項６】
前記第１光変調装置は、透過変調型の液晶装置、反射偏光型の液晶装置、及びデジタル
・マイクロミラー・デバイスのいずれか１つである請求項１から請求項５のいずれか一項
記載のプロジェクタ。
【請求項７】
前記第２光変調装置は、前記第１光変調装置が透過変調型の液晶装置及び反射偏光型の
液晶装置のいずれか１つである場合、透過変調型の液晶装置、反射偏光型の液晶装置、及
びデジタル・マイクロミラー・デバイスのいずれか１つであり、前記第１光変調装置がデ
ジタル・マイクロミラー・デバイスである場合、透過変調型の液晶装置、及び反射偏光型
の液晶装置のいずれか１つである請求項１から請求項６のいずれか一項記載のプロジェク
タ。
【請求項８】
前記第１及び第２光変調装置のいずれか一方は、カラー画像を形成する画像情報変調を
行い、前記第１及び第２光変調装置のいずれか他方は、輝度分布を有する画像を形成する
輝度変調を行う請求項１から請求項７のいずれか一項記載のプロジェクタ。
【発明の詳細な説明】
【技術分野】
【０００１】
本発明は、液晶パネル等の光変調装置を用いてカラー画像を投射するプロジェクタに関
する。
【背景技術】
【０００２】
従来のプロジェクタとして、ＲＧＢの三色の光路上に配置された各色用液晶パネルの透
過率をそれぞれ変調するとともに、各色用液晶パネルを経た光を合成した後の光路上に設
けられている高精細液晶パネルの透過率を変調し、カラー画像表示時には、高精度液晶パ
ネルから射出させる各成分の光の透過率をＲ，Ｇ，Ｂの逆γ補正値に比例させるものが存
在する（特許文献１参照）。このプロジェクタでは、第１段の各色用液晶パネルの像を結
像レンズを介して第２段の高精度液晶パネル上に結像させる。
【特許文献１】特開平６−１６７６９０号公報
【発明の開示】
【発明が解決しようとする課題】
【０００３】
上記のようなプロジェクタでは、２段に配置された各色用液晶パネル及び高精細液晶パ
ネルに照明光を通すことによって画像を形成するので、各色用液晶パネルのみで画像を形
成する場合に比較して投射像が暗くなる。
【０００４】
そこで、本発明は、複数段に配置した液晶パネル等の光変調装置で形成した画像を投射
する場合にも、投射画像を高輝度とすることができるプロジェクタを提供することを目的
とする。
【課題を解決するための手段】
【０００５】
上記課題を解決するため、本発明に係るプロジェクタは、（ａ）照明用の光を放射する
発光部を有する第１発光管と、第１発光管から放射された光を反射する第１反射鏡とを有
する第１光源装置と、（ｂ）第１光源装置から射出された照明光を第１方向の偏光に揃え
る第１偏光変換部と、（ｃ）照明用の光を放射する発光部を有する第２発光管と、第２発
光管から放射された光を反射する第２反射鏡とを有する第２光源装置と、（ｄ）第２光源
装置から射出された照明光を第１方向と異なる第２方向の偏光に揃える第２偏光変換部と
、（ｅ）第１光源装置に対向して配置され第１方向の偏光を入射させる第１入射面と、第
２光源装置に対向して配置され第２方向の偏光を入射させる第２入射面とを有し、第１入
射面を介して入射した第１方向の偏光と、第２入射面を介して入射した第２方向の偏光と
を結合して射出する偏光合成部と、（ｆ）偏光合成部で結合された照明光を画像情報に応
じて変調する第１光変調装置と、（ｇ）第１光変調装置で変調された変調光を一旦結像さ
せるリレー光学系と、（ｈ）リレー光学系によって結像された像光を画像情報に応じて変
調する第２光変調装置と、（ｉ）第２光変調装置で変調された変調光を像光として投射す
る投射光学系とを備える。
【０００６】
上記プロジェクタでは、第１光変調装置と第２光変調装置とをリレー光学系を介して２
段で設置することによって、高いコントラストの画像を投射することができる。この際、
第１発光管からの光を反射して集める第１光源装置からの照明光と、第２発光管からの光
を反射して集める第２光源装置からの照明光とを、第１及び第２偏光変換部によって偏光
方向を揃えつつ偏光合成部で重畳するように結合するので、高輝度の照明光によって第１
光変調装置を照明することができ、結果的に明るい画像を投射することができる。
【０００７】
本発明の具体的な態様では、上記プロジェクタにおいて、第１及び第２光源装置が、第
１及び第２発光管から第１及び第２反射鏡の外側に向けて放射された光をそれぞれ第１及
び第２発光管の発光部に戻す副反射部をそれぞれ備える。この場合、副反射部によって第
１及び第２反射鏡の外側に向けて放射された光をそれぞれ第１及び第２発光管の発光部に
戻すので、第１及び第２反射鏡をあまり大きくすることなく第１及び第２光源装置から無
駄なく光を取り出すことがができる。
【０００８】
本発明の別の態様では、第１及び第２光源装置が、楕円面の反射面を有する第１及び第
２反射鏡からの収束光を平行化する平行化レンズをさらに備える。この場合、第１及び第
２反射鏡の口径よりもサイズの小さな平行光束を射出させることができ、第１及び第２光
源装置ひいてはプロジェクタの小型化を図ることができる。
【０００９】
本発明の別の態様では、第１偏光変換部が、第１光源装置からの光束のうち第１偏光成
分に係る光束を透過し第２偏光成分に係る光束を反射する第１偏光分離面と、当該第１偏
光分離面からの第２偏光成分に係る光束を第１偏光成分に係る光束に平行な方向に向けて
反射する第１反射面と、第１及び第２偏光成分に係る光束のいずれか一方である第２方向
の偏光を他方である第１方向の偏光に変換して射出する第１位相素子とを有する。さらに
、第２偏光変換部が、第２光源装置からの光束のうち第１偏光成分に係る光束を透過し第
２偏光成分に係る光束を反射する第２偏光分離面と、当該第２偏光分離面からの第２偏光
成分に係る光束を第１偏光成分に係る光束に平行な方向に向けて反射する第２反射面と、
第１及び第２偏光成分に係る光束のいずれか一方である第１方向の偏光を他方である第２
方向の偏光に変換して射出する第２位相素子とを有する。この場合、偏光分離面、反射面
、及び位相素子等を組み合わせた簡単な構造の小型で効率の良い偏光変換部によって偏光
変換を行うことができ、効率的な照明が可能になる。
【００１０】
本発明のさらに別の態様では、偏光合成部と第１光変調装置との間に、偏光合成部から
射出された照明光を均一化する光均一化手段と、偏光合成部から射出された照明光の偏光
方向を一種類の直線偏光に揃える偏光変換光学系とをさらに備える。この場合、光均一化
手段によって、偏光合成部から射出された照明光をより均一化した状態で第１光変調装置
に入射させることができる。また、偏光変換光学系によって、偏光合成部から射出された
照明光を特定方向の直線偏光に揃えることができ、第１光変調装置や第２光変調装置が液
晶装置のように偏光を変調するタイプの電気光学変調装置に適合するものとなる。
【００１１】
本発明のさらに別の態様では、第１光変調装置が、透過変調型の液晶装置、反射偏光型
の液晶装置、及びデジタル・マイクロミラー・デバイスのいずれか１つである。ここで、
透過変調型の液晶装置や反射偏光型の液晶装置は、比較的安価で高精度で動作し、デジタ
ル・マイクロミラー・デバイスは、コントラスト比を大きくすることができる。
【００１２】
本発明のさらに別の態様では、第２光変調装置が、第１光変調装置が透過変調型の液晶
装置及び反射偏光型の液晶装置のいずれか１つである場合、透過変調型の液晶装置、反射
偏光型の液晶装置、及びデジタル・マイクロミラー・デバイスのいずれか１つであり、第
１光変調装置がデジタル・マイクロミラー・デバイスである場合、透過変調型の液晶装置
、及び反射偏光型の液晶装置のいずれか１つである。第２光変調装置は、第１光変調装置
と同様に、透過変調型の液晶装置、反射偏光型の液晶装置、及びデジタル・マイクロミラ
ー・デバイスのいずれかとできるが、第１光変調装置がデジタル・マイクロミラー・デバ
イスである場合、画質確保のためデジタル・マイクロミラー・デバイス以外の液晶装置と
する。
【００１３】
本発明のさらに別の態様では、第１及び第２光変調装置のいずれか一方が、カラー画像
を形成する画像情報変調を行い、第１及び第２光変調装置のいずれか他方が、輝度分布を
有する画像を形成する輝度変調を行う。この場合、画像情報変調と輝度変調とによって高
コントラスト比で高画質の画像を投射することができる。
【発明を実施するための最良の形態】
【００１４】
〔第１実施形態〕
図１は、本発明の第１実施形態に係るプロジェクタ１０の光学系を示す模式図である。
このプロジェクタ１０は、光源から射出された光束を画像情報に応じて変調して光学像を
形成し、この光学像をスクリーン上に拡大投射するための光学機器であり、輝度を向上さ
せた複合光源装置としての光源ユニット２０と、光均一化手段及び偏光変換光学系を兼ね
る均一照明光学系３０と、色分離光学系４０と、第１光変調装置５０と、クロスダイクロ
イックプリズム６０と、リレー光学系７０と、第２光変調装置８０と、投射光学系９０と
を備えて構成される。
【００１５】
光源ユニット２０は、均一照明光学系３０や色分離光学系４０を介して第１光変調装置
５０を照明するための照明光を発生する。光源ユニット２０は、ランプ光源を備え平行化
された照明光Ｌ０１を射出する第１光源装置２１Ａと、同様にランプ光源を備え平行化さ
れた照明光Ｌ０２を射出する第２光源装置２１Ｂと、第１及び第２光源装置２１Ａ，２１
Ｂからの照明光を無駄なく重ね合わせて射出する照明光結合部２４とを備える。
【００１６】
図２は、主に光源ユニット２０の詳細な構造を説明する図である。第１光源装置２１Ａ
は、光源ランプ２１ａから周囲に放射された光束を集めて射出し、次段の照明光結合部２
４に供給するための装置である。第１光源装置２１Ａは、発光管である光源ランプ２１ａ
と、光源ランプ２１ａから射出された光源光を楕円反射面によって反射する反射鏡からな
る主反射鏡２１ｂと、光源ランプ２１ａから主反射鏡２１の外側に放射された光束を球面
反射面によって光源ランプ２１ａの発光部に戻す副反射部である副反射鏡２１ｃと、主反
射鏡２１ｂで反射された光源光を平行化する平行化レンズとしての凹レンズ２１ｅとを備
える。この第１光源装置２１Ａにおいて、光源ランプ２１ａから射出された光源光は、主
反射鏡２１ｂ、或いは副反射鏡２１ｃ及び主反射鏡２１ｂを介して、装置前方側に収束さ
れる収束光として反射・射出され、凹レンズ２１ｅを通過し平行光束として照明光結合部
２４側に射出される。なお、上述した楕円の主反射鏡２１ｂに代えて球面、放物面等の各
種凹面鏡を用いることができ、球面鏡等を用いた場合、上述の凹レンズ２１ｅを凹面鏡の
収差を補正するものとする。さらに、放物面若しくは球面に対して凹面を組み合わせるだ
けでなく凸レンズを加えることによって、楕円に対して凹面を組み合わせたものと等価に
できる。
【００１７】
第２光源装置２１Ｂは、第１光源装置２１Ａと同様の構造を有する。すなわち、第２光
源装置２１Ｂは、発光管である光源ランプ２１ａと、反射鏡からなる主反射鏡２１ｂと、
副反射部である副反射鏡２１ｃと、平行化レンズである凹レンズ２１ｅとを備える。この
第２光源装置２１Ｂにおいて、光源ランプ２１ａから射出された光源光は、主反射鏡２１
ｂ、或いは副反射鏡２１ｃ及び主反射鏡２１ｂを介して、装置前方側に収束される収束光
として反射・射出され、凹レンズ２１ｅを通過し平行光束として照明光結合部２４側に射
出される。
【００１８】
照明光結合部２４は、第１光源装置２１Ａからの照明光と第２光源装置２１Ｂからの照
明光とを無駄なく合成した単一の光束として均一照明光学系３０に導く。照明光結合部２
４は、偏光分離膜、位相差板等を備え第１光源装置２１Ａからの平行光束を第１方向の偏
光に揃える第１偏光変換部２５Ａと、偏光分離膜、位相差板等を同様に備え第２光源装置
２１Ｂからの平行光束を第２方向の偏光に揃える第２偏光変換部２５Ｂと、第１及び第２
偏光変換部２５Ａ，２５Ｂからの偏光を異なる方向から入射させることにより、これら偏
光を重畳するように結合させる偏光合成部（偏光ビームコンバイナー）２６とを備える。
【００１９】
第１偏光変換部２５Ａは、第１光源装置２１Ａの出口となっている凹レンズ２１ｅを入
口とし、凹レンズ２１ｅからの照明光の偏光方向を揃えて、偏光合成部２６の第１入射面
ＰＩＡに対して第１方向の直線偏光である照明光を射出する。第１偏光変換部２５Ａは、
２つの直角三角形プリズムＰ１，Ｐ２と平行四辺形プリズムＰ３とを貼り合わせることに
より形成されており、一方の直角三角形プリズムＰ１と平行四辺形プリズムＰ３との間に
挟まれた第１偏光分離面としての偏光分離膜２５ａと、他方の直角三角形プリズムＰ２と
平行四辺形プリズムＰ３との間に挟まれた第１反射面としての反射膜２５ｂと、例えば平
行四辺形プリズムＰ３の射出側に配置された第１位相素子としての波長板２５ｄとを備え
る。偏光分離膜２５ａと反射膜２５ｂとは、各プリズムの斜面上に蒸着によって形成され
た誘電体多層膜であり、光源光軸ＯＡ１に対して４５°傾斜した状態で配置されている。
これらのうち、前者の偏光分離膜２５ａは、第１光源装置２１Ａからのランダム偏光のう
ち特定方向の直線偏光成分（図示の例ではＰ偏光）を透過させるとともにこれに直交する
方向の直線偏光成分（図示の例ではＳ偏光）を反射させ、結果的に直交する２つの直線偏
光成分を効率よく分離する。また、後者の反射膜２５ｂは、偏光分離膜２５ａで反射され
た一方の直線偏光成分（図示の場合、Ｓ偏光）を略完全に反射して光路を折り曲げる。こ
の反射膜２５ｂは、金属膜の蒸着ミラーに置き換えることもできる。波長板２５ｄは、１
／２波長板で形成された偏光方向変換素子であり、例えば反射膜２５ｂで反射され平行四
辺形プリズムＰ３からシステム光軸ＯＡに平行な方向に射出された直線偏光成分（図示の
場合、Ｓ偏光）を、これに直交する成分の直線偏光成分（図示の場合、Ｐ偏光）に変換す
る。このような第１偏光変換部２５Ａを用いることにより、第１光源装置２１Ａから射出
される光束を、第１方向の偏光（図示の場合、Ｐ偏光）に揃えるように変換して偏光合成
部２６の第１入射面ＰＩＡに入射させることができる。
【００２０】
なお、以上の第１偏光変換部２５Ａにおいて、偏光分離膜２５ａでＳ偏光を透過させＰ
偏光を反射させることもできるが、この場合、波長板２５ｄは、直角三角形プリズムＰ１
の射出側に配置される。
【００２１】
第２偏光変換部２５Ｂは、第２光源装置２１Ｂの出口となっている凹レンズ２１ｅを入
口とし、凹レンズ２１ｅからの照明光の偏光方向を揃えて、偏光合成部２６の第２入射面
ＰＩＢに対して上記第１方向と直交する第２方向の直線偏光である照明光を射出する。第
２偏光変換部２５Ｂは、第１偏光変換部２５Ａと同様の構造を有する。すなわち、第２偏
光変換部２５Ｂは、２つの直角三角形プリズムＰ１，Ｐ２と平行四辺形プリズムＰ３とを
貼り合わせることにより形成されており、第２偏光分離面としての偏光分離膜２５ａと、
第２反射面としての反射膜２５ｂと、第２位相素子としての波長板２５ｄとを備える。な
お、第２偏光変換部２５Ｂにおいて、波長板２５ｄは、例えば直角三角形プリズムＰ１の
射出側に配置される。偏光分離膜２５ａは、第２光源装置２１Ｂからのランダム偏光を直
交する２つの直線偏光成分を効率よく分離する。波長板２５ｄは、偏光分離膜２５ａを透
過し直角三角形プリズムＰ１からシステム光軸ＯＡに平行な方向に射出された直線偏光成
分（図示の場合、Ｐ偏光）を、これに直交する成分の直線偏光成分（図示の場合、Ｓ偏光
）に変換する。一方、反射膜２５ｂは、偏光分離膜２５ａで反射された他方の直線偏光成
分（図示の場合、Ｓ偏光）を略完全に反射して光路を折り曲げる。このような第２偏光変
換部２５Ｂを用いることにより、第２光源装置２１Ｂから射出される光束を、第２方向の
偏光（図示の場合、Ｓ偏光）に揃えるように変換して偏光合成部２６の第２入射面ＰＩＢ
に入射させることができる。
【００２２】
なお、以上の第２偏光変換部２５Ｂにおいて、偏光分離膜２５ａでＳ偏光を透過させＰ
偏光を反射させることもできるが、この場合、波長板２５ｄは、平行四辺形プリズムＰ３
の射出側に配置される。
【００２３】
偏光合成部２６は、２つの直角プリズムの底面同士を張り合わせた構造の立方体状の光
学素子であり、両直角プリズムの斜面間に挟まれた偏光合成膜２６ａを備える。偏光合成
膜２６ａは、いずれかのプリズムの斜面上に蒸着によって形成された誘電体多層膜であり
、光源光軸ＯＡ１，ＯＡ２に対して４５°傾斜した状態で配置されている。偏光合成膜２
６ａは、第１偏光変換部２５Ａから第１入射面ＰＩＡを介して入射した第１方向の偏光（
図示の場合、Ｐ偏光）を透過させ、第２偏光変換部２５Ｂから第２入射面ＰＩＢを介して
入射した第２方向の偏光（図示の場合、Ｓ偏光）を反射する。結果的に、第１偏光変換部
２５Ａを経た第１光源装置２１Ａからの第１方向の偏光と、第２偏光変換部２５Ｂを経た
第２光源装置２１Ｂからの第２方向の偏光とを完全に重ね合わせて、共通の射出面ＰＯか
らシステム光軸ＯＡの方向に沿って均一照明光学系３０側に射出させることができる。
【００２４】
均一照明光学系３０は、光源ユニット２０から射出された光束を複数の部分光束に分割
し、これら複数の光束を対象とする照明領域に重畳して入射させ、この照明領域の面内照
度を均一化するための光学系であり、光源ユニット２０と協働して均一で特定偏光方向の
照明光を発生するための照明装置として機能する。均一照明光学系３０は、オプティカル
インテグレータ３２、偏光変換部材３４、及び、コンデンサレンズ３５を備えている。こ
こで、オプティカルインテグレータ３２は、第１レンズアレイ３２ａと第２レンズアレイ
３２ｂとを備えてなり、コンデンサレンズ３５と協働して照明光を均一化するための光均
一化手段として機能する。また、偏光変換部材３４は、オプティカルインテグレータ３２
と協働して照明光の偏光方向を一種類の直線偏光に揃える偏光変換光学系として機能する
。
【００２５】
以上の均一照明光学系３０において、第１レンズアレイ３２ａは、光源ユニット２０か
らの光束を複数の部分光束に分割する光束分割光学素子であり、システム光軸ＯＡと直交
する面内にマトリックス状に配列される複数の小レンズを備えて構成される。各小レンズ
の輪郭形状は、後述する第１光変調装置５０を構成する液晶パネル５２ｒ，５２ｇ，５２
ｂの画像形成領域（有効領域）の形状とほぼ相似形をなすように設定されている。第２レ
ンズアレイ３２ｂは、前述した第１レンズアレイ３２ａにより分割された複数の部分光束
を集光する光学素子であり、第１レンズアレイ３２ａと同様にシステム光軸ＯＡに直交す
る面内にマトリックス状に配列される複数の小レンズを備えているが、集光を目的として
いるため、各小レンズの輪郭形状が上記液晶パネル５２ｒ，５２ｇ，５２ｂの画像形成領
域の形状と対応している必要はない。
【００２６】
偏光変換部材３４は、ＰＢＳアレイで形成されており、第１レンズアレイ３２ａにより
分割された各部分光束の偏光方向を一方向の直線偏光に揃える役割を有する。この偏光変
換部材３４は、詳細な図示を省略しているが、システム光軸ＯＡに対して傾斜配置される
偏光分離膜及び反射ミラーを交互に配列した構成を具備する。前者の偏光分離膜は、各部
分光束に含まれるＰ偏光光束及びＳ偏光光束のうち、一方の偏光光束を透過し、他方の偏
光光束を反射する。反射された他方の偏光光束は、後者の反射ミラーによって光路を折り
曲げられ、一方の偏光光束の射出方向、すなわちシステム光軸ＯＡに沿った方向に射出さ
れる。射出された偏光光束のいずれかは、偏光変換部材３４の光束射出面にストライプ状
に設けられる位相素子としての波長板によって偏光変換され、すべての偏光光束の偏光方
向が揃えられる。このような偏光変換部材３４を用いることにより、光源ユニット２０に
設けた偏光合成部２６の射出面ＰＯから射出される光束を、一方向の偏光光束に揃えるこ
とができるため、第１光変調装置５０で利用する光源光の利用率を向上させることができ
る。
【００２７】
コンデンサレンズ３５は、オプティカルインテグレータ３２及び偏光変換部材３４を経
た複数の部分光束を集光して第１光変調装置５０に設けた液晶パネル５２ｒ，５２ｇ，５
２ｂの画像形成領域（有効領域）上に重畳させつつ入射させるための重畳光学素子である
。つまり、コンデンサレンズ３５によって、第１レンズアレイ３２ａによって分割された
各部分光束を、各液晶パネル５２ｒ，５２ｇ，５２ｂ上にずれなく重ね合わせて入射させ
ることができ、各液晶パネル５２ｒ，５２ｇ，５２ｂの均一な照明が可能になる。
【００２８】
図１に戻って、色分離光学系４０は、ダイクロイックミラー４１ａ，４１ｂ、反射ミラ
ー４３ａ，４３ｂ，４３ｃ、フィールドレンズ４５ｒ，４５ｇ，４５ｂ、及びリレー系４
６ａ，４６ｂを備える。これらのうち、ダイクロイックミラー４１ａ，４１ｂを含んで構
成される色分離光学系は、照明光を青（Ｂ）色光、緑（Ｇ）色光、及び赤（Ｒ）色光の３
つの光束に分離する。一方のダイクロイックミラー４１ａは、赤・青・緑の３色のうち赤
色光ＬＲ及び緑色光ＬＧを透過させ、青色光ＬＢを反射する。また、他方のダイクロイッ
クミラー４１ｂは、入射した赤色光ＬＲ及び緑色光ＬＧのうち緑色光ＬＧを反射し、赤色
光ＬＲを透過させる。
【００２９】
この色分離光学系４０において、均一照明光学系３０からの照明光は、まず前段のダイ
クロイックミラー４１ａに入射する。ダイクロイックミラー４１ａで反射された青色光Ｌ
Ｂは、反射ミラー４３ｃを経てフィールドレンズ４５ｂに入射する（光路ＯＰ３）。また
、前段のダイクロイックミラー４１ａを透過して後段のダイクロイックミラー４１ｂで反
射された緑色光ＬＧは、そのままフィールドレンズ４５ｇに入射する（光路ＯＰ２）。さ
らに、後段のダイクロイックミラー４１ｂを通過した赤色光ＬＲは、反射ミラー４３ａ，
４３ｂを介してレンズ４６ａ，４６ｂ，４５ｒを通過する。これらのレンズ４６ａ，４６
ｂ，４５ｒからなる光学系は、均一照明光学系３０から各色の液晶パネル５２ｒ，５２ｇ
，５２ｂまでの光路の距離が最も長い赤色の光路ＯＰ１に配置されている。これらのレン
ズ４６ａ，４６ｂ，４５ｒは、第１のレンズ４６ａの像を、第２のレンズ４６ｂを介して
、ほぼそのまま第３のレンズ４５ｒに伝達することにより、光の拡散等による光の利用効
率の低下を防止している。以上の色分離光学系４０により、各色の液晶パネル５２ｒ，５
２ｇ，５２ｂが等価かつ均一に照明される。
【００３０】
第１光変調装置５０は、３色の像光ＬＲ，ＬＧ，ＬＢがそれぞれ入射する３つの液晶パ
ネル（液晶表示パネル）５２ｒ，５２ｇ，５２ｂと、各液晶パネル５２ｒ，５２ｇ，５２
ｂを挟むように配置される３組の偏光フィルタ５３ｒ，５３ｇ，５３ｂとを備える。ここ
で、赤色光ＬＲ用の液晶パネル５２ｒと、これを挟む一対の偏光フィルタ５３ｒ，５３ｒ
とは、照明光のうち赤色光ＬＲを画像情報に基づいて２次元的に画像情報変調するための
液晶ライトバルブを構成する。同様に、緑色光ＬＧ用の液晶パネル５２ｇと、対応する偏
光フィルタ５３ｇ，５３ｇも、緑色用の液晶ライトバルブを構成し、青色光ＬＢ用の液晶
パネル５２ｂと、偏光フィルタ５３ｂ，５３ｂも、青色用の液晶ライトバルブを構成する
。
【００３１】
各液晶パネル５２ｒ，５２ｇ，５２ｂは、一対の透明なガラス基板間に電気光学物質で
ある液晶を密閉封入したものであり、例えば、ポリシリコンＴＦＴをスイッチング素子と
して、与えられた画像信号に従って、それぞれに入射した偏光光束の偏光方向を変調する
。つまり、各液晶パネル５２ｒ，５２ｇ，５２ｂは、入射した光束の偏光方向の空間的分
布を変化させるための非発光で透過型の光変調装置であり、各液晶パネル５２ｒ，５２ｇ
，５２ｂにそれぞれ入射した各色光ＬＲ，ＬＧ，ＬＢは、各液晶パネル５２ｒ，５２ｇ，
５２ｂに電気的信号として入力された駆動信号或いは制御信号に応じて、画素単位で偏光
状態が調整される。その際、偏光フィルタ５３ｒ，５３ｇ，５３ｂによって、各液晶パネ
ル５２ｒ，５２ｇ，５２ｂに入射する輝度変調後の像光の偏光方向が調整されるとともに
、各液晶パネル５２ｒ，５２ｇ，５２ｂから射出される光から所定の偏光方向の変調光が
取り出される。なお、各液晶パネル５２ｒ，５２ｇ，５２ｂは、画素ごとに集光を調節す
るためのマイクロレンズアレイを設けていない単純透過型の液晶表示素子からなる。
【００３２】
クロスダイクロイックプリズム６０は、偏光フィルタ５３ｒ，５３ｇ，５３ｂから射出
された各色光毎に変調された光学像を合成してカラー画像を形成する光合成光学系である
。このクロスダイクロイックプリズム６０は、４つの直角プリズムを貼り合わせた平面視
略正方形状をなし、直角プリズム同士を貼り合わせた界面には、Ｘ字状に交差する一対の
誘電体多層膜６１，６２が形成されている。一方の第１誘電体多層膜６１は青色光を反射
し、他方の第２誘電体多層膜６２は赤色光を反射する。このクロスダイクロイックプリズ
ム６０は、液晶パネル５２ｒからの赤色光ＬＲを第２誘電体多層膜６２で反射して進行方
向右側に射出させ、液晶パネル５２ｇからの緑色光ＬＧを第１及び第２誘電体多層膜６１
，６２を介して直進・射出させ、液晶パネル５２ｂからの青色光ＬＢを第１誘電体多層膜
６１で反射して進行方向左側に射出させる。
【００３３】
クロスダイクロイックプリズム６０で合成されたカラーの像光は、リレー光学系７０に
よって輝度変調用の第２光変調装置８０において再結像される。リレー光学系７０は、等
倍の結像レンズ７１と、光路折り曲げ用の反射プリズム７２とを備える。結像レンズ７１
は、結像レンズ７１によって、第１光変調装置５０で画像情報変調された各色の像光を、
第２光変調装置８０に設けた輝度変調用の液晶パネル８２ａにともに等倍率で投影する。
【００３４】
第２光変調装置８０は、入射レンズ８１、液晶パネル（液晶表示パネル）８２ａ、及び
偏光フィルタ８３ｂ，８３ｂを備える。ここで、液晶パネル８２ａと、これを挟む一対の
偏光フィルタ８３ｂ，８３ｂとは、画像情報変調後のカラーの像光に対して画像情報に基
づいて２次元的な輝度変調を施すための液晶ライトバルブを構成する。ここで、液晶パネ
ル８２ａは、第１光変調装置５０を構成する各液晶パネル５２ｒ，５２ｇ，５２ｂと同様
のものである。つまり、液晶パネル８２ａに入射した照明光は、この液晶パネル８２ａに
電気的信号として入力された駆動信号或いは制御信号に応じて、画素単位で偏光状態が調
整される。その際、偏光フィルタ８３ｂ，８３ｂによって、液晶パネル８２ａに入射する
照明光の偏光方向が調整されるとともに、液晶パネル８２ａから射出される光から所定の
偏光方向の変調光が取り出される。つまり、第２光変調装置８０によって、第１光変調装
置５０で形成されクロスダイクロイックプリズム６０で合成されたカラーの像光が画素単
位で適宜減光され、画像情報に対応する所定の２次元的分布でカラー像のコントラストを
高めるための輝度変調が達成される。
【００３５】
なお、入射レンズ８１は、リレー光学系７０からの像光が液晶パネル８２ａに入射する
角度を調整するためのものである。
【００３６】
また、第２光変調装置８０において、液晶パネル８２ａは、第１光変調装置５０に設け
た液晶パネル５２ｒ，５２ｇ，５２ｂと同一の形状及びサイズを有する。つまり、前段の
各液晶パネル５２ｒ，５２ｇ，５２ｂの画像形成領域に形成された画像が、結像レンズ７
１によって液晶パネル８２ａの画像形成領域に等倍で投影される。
【００３７】
以上の第２光変調装置８０で輝度変調された像光は、投射光学系９０によってプロジェ
クタ１０の前方に配置されたスクリーン（不図示）に投射される。
【００３８】
本実施形態のプロジェクタ１０では、第１光変調装置５０で各色の照明光に対して画像
を生成する画像情報変調が施され、クロスダイクロイックプリズム６０で合成されてカラ
ーの像光となる。このカラーの像光は、リレー光学系７０によって第２光変調装置８０に
等倍率で投影される。さらに、第２光変調装置８０を経たカラーの像光は、画素単位で透
過率を調整する輝度変調が施され、投射光学系９０によって高コントラストのカラー画像
としてスクリーン上に投射される。この際、第１光変調装置５０に入射させる照明光とし
て、光源ユニット２０の照明光結合部２４において、第１光源装置２１Ａからの照明光と
第２光源装置２１Ｂからの照明光とを無駄なく合成した単一の光束として均一照明光学系
３０に導くので、高輝度の照明光によって第１光変調装置５０ひいては第２光変調装置８
０を照明することができ、結果的に明るい画像を投射することができる。
【００３９】
なお、リレー光学系７０は、第１光変調装置５０の像を第２光変調装置８０に対して等
倍で投影するものに限らず、第１光変調装置５０の像を第２光変調装置８０に対して拡大
投影したり縮小投影したりするものとできる。
【００４０】
〔第２実施形態〕
以下、本発明の第２実施形態に係るプロジェクタについて説明する。図３は、第２実施
形態のプロジェクタの全体構造を説明する図である。このプロジェクタ１１０は、光源ユ
ニット２０と、均一照明光学系３０と、第１光変調装置１８０と、色分離投射装置１４０
と、第２光変調装置１５０と、クロスダイクロイックプリズム６０と、投射光学系９０と
を、システム光軸ＯＡに沿って順に配置して構成されている。
【００４１】
光源ユニット２０や均一照明光学系３０については、第１実施形態と同様のものである
ので説明を省略する。第１光変調装置１８０は、第１実施形態の第２光変調装置８０と同
様の機能を有し、入射レンズ８１、液晶パネル８２ａ、偏光フィルタ８３ｂ，８３ｂ、及
び射出レンズ１８４を備える。ここで、液晶パネル８２ａと、これを挟む一対の偏光フィ
ルタ８３ｂ，８３ｂとは、照明光を画像情報に基づいて２次元的に輝度変調するための液
晶ライトバルブを構成する。
【００４２】
なお、液晶パネル８２ａは、画素ごとに集光を調節するためのマイクロレンズアレイを
設けていない単純透過型の液晶表示素子からなり、入射した光束が略そのままの角度で射
出される。
【００４３】
また、入射レンズ８１は、均一照明光学系３０からの部分光束が液晶パネル８２ａに入
射する角度を調整するためのものであり、射出レンズ１８４は、液晶パネル８２ａ等から
の変調光の射出角度を調整するためのものである。入射レンズ８１と射出レンズ８４は、
どちらか一方または両方とも省略することも可能である。
【００４４】
色分離投射装置１４０は、第１光変調装置１８０を経て輝度変調された像光を各色光に
分離して第２光変調装置１５０に投影するためのものであり、第１及び第２ダイクロイッ
クミラー４１ａ，４１ｂ、反射ミラー１４３ａ，１４３ｂ，１４３ｃ，１４３ｄ、両面ミ
ラー１４４，フィールドレンズ４５ｒ，４５ｇ，４５ｂ、第１リレーレンズ１７１ａ，１
７１ｂ，１７１ｃ、及び第２リレーレンズ１７２ａ，１７２ｂを備える。
【００４５】
これらのうち、第１及び第２ダイクロイックミラー４１ａ，４１ｂを含んで構成される
色分離光学系は、第１光変調装置１８０によって輝度変調された像光を、ＲＧＢの３色の
像光に分離する。第１ダイクロイックミラー４１ａは、モノクロの像光から青色成分であ
る青色光ＬＢを反射分岐し、残った緑色光ＬＧと赤色光ＬＲとを透過させる。また、第２
ダイクロイックミラー４１ｂは、第１ダイクロイックミラー４１ａを通過して反射ミラー
１４３ａ及びリレーレンズ１７１ａを経た像光のうち緑色成分である緑色光ＬＧを反射し
、赤色成分である赤色光ＬＲを透過させる。
【００４６】
この色分離投射装置１４０において、均一照明光学系３０から第１光変調装置１８０を
経て入射した輝度変調後の像光は、まず第１ダイクロイックミラー４１ａに入射する。像
光のうち赤色光ＬＲは、第１光路ＯＰ１に導かれるべきものであり、第１ダイクロイック
ミラー４１ａを透過し、リレーレンズ１７１ａ及び反射ミラー１４３ａを経て第２ダイク
ロイックミラー４１ｂを透過し、リレーレンズ１７１ｂ及び反射ミラー１４３ｂを経て最
終段のフィールドレンズ４５ｒに入射する。また、輝度変調後の像光のうち緑色光ＬＧは
、第２光路ＯＰ２に導かれるべきものであり、第１ダイクロイックミラー４１ａを透過し
、リレーレンズ１７１ｂ及び反射ミラー１４３ｂを経て第２ダイクロイックミラー４１ｂ
で反射され、リレーレンズ１７１ｃ及び両面ミラー１４４を経て最終段のフィールドレン
ズ４５ｇに入射する。さらに、輝度変調後の像光のうち青色光ＬＢは、第３光路ＯＰ３に
導かれるべきものであり、第１ダイクロイックミラー４１ａで反射され、リレーレンズ１
７２ａ、両面ミラー１４４、反射ミラー１４３ｃ、リレーレンズ１７２ｂ、及び反射ミラ
ー１４３ｄを経て最終段のフィールドレンズ４５ｂに入射する。
【００４７】
ここで、赤色用の第１光路ＯＰ１と、緑色用の第２光路ＯＰ２と、青色用の第３光路Ｏ
Ｐ３とは、互いに光路の実効長さが等しい等価系となっている。具体的に説明すると、第
１光変調装置１８０で輝度変調された像光のうち赤色成分は、第１光路ＯＰ１において、
リレー光学系である第１リレーレンズ１７１ａ，１７１ｂによって等倍率で第２光変調装
置１５０に設けた画像情報変調用の液晶パネル５２ｒ内の画像形成領域に投影される。同
様に、第１光変調装置１８０で輝度変調された像光のうち緑色成分は、第２光路ＯＰ２に
おいて、第１リレーレンズ１７１ａ，１７１ｃによって赤色と同じ倍率で、上記第２光変
調装置１５０に設けた画像情報変調用の液晶パネル５２ｇ内の画像形成領域に投影される
。また、第１光変調装置１８０で輝度変調された像光のうち青色成分は、第３光路ＯＰ３
において、リレー光学系である第２リレーレンズ１７２ａ，１７２ｂによって赤色及び緑
色と同じ倍率で、上記第２光変調装置１５０に設けた画像情報変調用の液晶パネル５２ｂ
内の画像形成領域に投影される。
【００４８】
なお、第２光変調装置１５０は、第１光変調装置１８０の後段に配置されて輝度変調後
の像光に対して画像情報変調を行うが、第１実施形態の第１光変調装置５０と同様の構造
を有するものであるので説明を省略する。
【００４９】
また、クロスダイクロイックプリズム６０や投射光学系９０については、第１実施形態
と同様のものであるので説明を省略する。
【００５０】
本実施形態のプロジェクタ１１０では、第１光変調装置１８０で照明光に対して輝度変
調が施され、リレー光学系である第１リレーレンズ１７１ａ〜１７１ｃ及び第２リレーレ
ンズ１７２ａ，１７２ｂを経て第２光変調装置１５０で輝度変調像に対して画像情報変調
が施され、投射光学系９０によって高コントラストのカラー画像がスクリーン上に投射さ
れる。この際、第１光変調装置１８０に入射させる照明光として、光源ユニット２０によ
って第１光源装置２１Ａからの照明光と第２光源装置２１Ｂからの照明光とを無駄なく合
成した単一の光束として均一照明光学系３０に導くので、高輝度の照明光によって第１光
変調装置１８０を照明することができ、結果的に明るい画像を投射することができる。
【００５１】
〔第３実施形態〕
以下、本発明の第３実施形態に係るプロジェクタについて説明する。なお、第３実施形
態のプロジェクタは、第２実施形態のプロジェクタを一部変更したものであり、同一部分
には同一の符号を付して重複説明を省略する。また、特に説明しない部分については、第
２実施形態等と同様であるものとする。
【００５２】
図４は、第３実施形態のプロジェクタの全体構造を説明する図である。このプロジェク
タ２１０は、光源ユニット２０と、均一照明光学系３０と、第１光変調装置１８０と、色
分離投射装置２４０と、第２光変調装置１５０と、クロスダイクロイックプリズム６０と
、投射光学系９０とを、システム光軸ＯＡに沿って順に配置して構成されている。
【００５３】
本実施形態のプロジェクタ２１０に組み込んだ色分離投射装置２４０は、第２及び第３
ダイクロイックミラー４１ｂ，２４１ｂ、反射ミラー１４３ａ，１４３ｂ，２４３ｅ，２
４３ｆ、フィールドレンズ４５ｒ，４５ｇ，４５ｂ、リレーレンズ１７１ａ，１７１ｂ，
１７１ｃ、転写レンズ系２４６ａ〜２４６ｃ，２４６ｊを備える。これらのうち、第２及
び第３ダイクロイックミラー４１ｂ，２４１ｂを含んで構成される色分離光学系は、強度
変調された像光をＢ光、Ｇ光、及びＲ光の３つの光束に分離する。第２ダイクロイックミ
ラー４１ｂは、赤・青・緑のうち赤色光ＬＲの像光成分を透過させ、緑色光ＬＧと青色光
ＬＢとの像光成分を反射する。また、第３ダイクロイックミラー２４１ｂは、入射した緑
色光ＬＧ及び青色光ＬＢのうち緑色光ＬＧの像光成分を反射し、青色光ＬＢを透過させる
。
【００５４】
この色分離投射装置２４０において、均一照明光学系３０から第１光変調装置１８０を
経て入射した輝度変調後の像光は、リレーレンズ１７１ａ、反射ミラー１４３ａ、及び第
２ダイクロイックミラー４１ｂに入射する。像光のうち赤色成分は、第２ダイクロイック
ミラー４１ｂを透過し、リレーレンズ１７１ｂ及び反射ミラー１４３ｂを経て最終段のフ
ィールドレンズ４５ｒに入射する（第１光路ＯＰ１）。また、像光のうち緑色成分は、第
２ダイクロイックミラー４１ｂで反射され、リレーレンズ１７１ｃを通過した後、第３ダ
イクロイックミラー２４１ｂで反射され、最終段のフィールドレンズ４５ｇに入射する（
第２光路ＯＰ２）。さらに、像光のうち青色成分は、第３ダイクロイックミラー２４１ｂ
を透過して、反射ミラー１４３ｅ，１４３ｆや転写レンズ系２４６ａ〜２４６ｃ，２４６
ｊを経て最終段のフィールドレンズ４５ｂに入射する。転写レンズ系２４６ａ〜２４６ｃ
，２４６ｊは、第１光路ＯＰ１と第２光路ＯＰ２の光路の長さが等しく第３光路ＯＰ３の
光路の長さは他の光路よりも長いために、リレーレンズ１７１ａ，１７１ｃによって第３
ダイクロイックミラー２４１ｂの後方に一旦形成される液晶パネル８２ａの青色の投影像
ＩＭを、液晶パネル５２ｂ上に等倍かつ正立像として再結像するためのものである。
【００５５】
本実施形態のプロジェクタ２１０でも、第１光変調装置１８０で照明光に対して輝度変
調が施され、リレー光学系であるリレーレンズ１７１ａ〜１７１ｃを経て第２光変調装置
１５０で輝度変調像に対して画像情報変調が施され、投射光学系９０によって高コントラ
ストのカラー画像がスクリーン上に投射される。この際、第１光変調装置１８０に入射さ
せる照明光として、光源ユニット２０によって第１光源装置２１Ａからの照明光と第２光
源装置２１Ｂからの照明光とを無駄なく合成した単一の光束として均一照明光学系３０に
導くので、高輝度の照明光によって第１光変調装置１８０を照明することができ、結果的
に明るい画像を投射することができる。
【００５６】
〔第４実施形態〕
以下、本発明の第４実施形態に係るプロジェクタについて説明する。なお、第４実施形
態のプロジェクタは、第１実施形態のプロジェクタを一部変更したものであり、同一部分
には同一の符号を付して重複説明を省略する。また、特に説明しない部分については、第
１実施形態と同様であるものとする。
【００５７】
図５は、第４実施形態のプロジェクタの全体構造を説明する図である。このプロジェク
タ３１０は、光源ユニット２０と、均一照明光学系３０と、色分離光学系４０と、第１光
変調装置５０と、クロスダイクロイックプリズム６０と、リレー光学系７０と、第２光変
調装置３８０と、投射光学系９０とをシステム光軸ＯＡに沿って順に配置して構成されて
いる。
【００５８】
本実施形態では、第２光変調装置３８０として、透過変調型の液晶装置でなく反射偏光
型の液晶装置を組み込んでいる。
【００５９】
第２光変調装置３８０は、入射レンズ３８１、液晶パネル３８２、波長板３８５、及び
偏光ビームスプリッタ３８６を備える。このうち、液晶パネル３８２、波長板３８５、及
び偏光ビームスプリッタ３８６は、第１光変調装置５０による画像情報変調後のカラーの
像光に対して画像情報に基づいて２次元的な輝度変調を施すための液晶ライトバルブを構
成する。なお、偏光ビームスプリッタ３８６は、偏光分離膜３８６ａを内蔵しており、リ
レー光学系７０を経たカラーの像光を液晶パネル３８２に導き、液晶パネル３８２からの
反射光を投射光学系９０に導く役割を有する。
【００６０】
液晶パネル３８２は、一対の透明なガラス基板間に電気光学物質である液晶を密閉封入
したものである。液晶パネル３８２は、例えばポリシリコンＴＦＴをスイッチング素子と
して、与えられた画像信号に従って、それぞれに入射した偏光光束を裏面に形成したミラ
ー３８２ａで反射する際に偏光方向を変化させる。つまり、液晶パネル３８２は、反射し
た光束の偏光方向の空間的分布を変化させるための非発光で反射型の光変調装置であり、
液晶パネル３８２に入射したカラーの像光は、ミラー３８２ａで反射されて液晶パネル３
８２を往復する際に、液晶パネル３８２に電気的信号として入力された駆動信号或いは制
御信号に応じて、画素単位で偏光状態が調整される。その際、偏光ビームスプリッタ３８
６及び波長板３８５によって、液晶パネル３８２に入射する輝度変調後の像光の偏光方向
が調整されるとともに、液晶パネル３８２から射出される光から所定の偏光方向の変調光
が取り出される。
【００６１】
なお、入射レンズ３８１は、リレー光学系７０からの像光が液晶パネル８２ａに入射す
る角度を調整するためのものであるが、省略することも可能である。
【００６２】
本実施形態のプロジェクタ３１０では、第１光変調装置５０で照明光に対して画像情報
変調が施され、リレー光学系７０を経て第２光変調装置３８０で輝度変調像に対して輝度
変調が施され、投射光学系９０によって高コントラストのカラー画像がスクリーン上に投
射される。この際、第１光変調装置５０に入射させる照明光として、光源ユニット２０に
よって第１光源装置２１Ａからの照明光と第２光源装置２１Ｂからの照明光とを無駄なく
合成した単一の光束として均一照明光学系３０に導くので、高輝度の照明光によって第１
光変調装置５０を照明することができ、結果的に明るい画像を投射することができる。
【００６３】
〔第５実施形態〕
以下、本発明の第５実施形態に係るプロジェクタについて説明する。なお、第５実施形
態のプロジェクタは、第４実施形態のプロジェクタを一部変更したものであり、特に説明
しない部分については、第４実施形態と同様であるものとする。
【００６４】
図６は、第５実施形態のプロジェクタの全体構造を説明する図である。このプロジェク
タ４１０は、光源ユニット２０と、均一照明光学系３０と、第１光変調装置４８０と、リ
レー光学系７０と、色分離光学系４４０と、第２光変調装置４５０と、クロスダイクロイ
ックプリズム６０と、投射光学系９０とを、システム光軸ＯＡに沿って順に配置して構成
されている。ここで、光源ユニット２０、均一照明光学系３０、クロスダイクロイックプ
リズム６０、及び投射光学系９０については、第４実施形態と同様のものであるので説明
を省略する。また、第１光変調装置４８０と、第２光変調装置４５０とは、リレー光学系
７０等を介して配置が入れ替わっているだけであり、それぞれ第４実施形態で説明した第
２光変調装置３８０と、第１光変調装置５０と同様の構造を有する。
【００６５】
ただし、色分離光学系４４０において、反射ミラー４４３ｅ，４４３ｆや転写レンズ系
４４６ａ〜４４６ｃ，４４６ｊは、図４に示す第３実施形態のプロジェクタ２１０に設け
た反射ミラー２４３ｅ，２４３ｆや転写レンズ系２４６ａ〜２４６ｃ，２４６ｊに相当す
るものとなっており、リレー光学系７０によって第２ダイクロイックミラー４１ｂの後方
に一旦形成される液晶パネル３８２の赤色の投影像を、液晶パネル５２ｒ上に等倍かつ正
立像として再結像する役割を有する。
【００６６】
なお、リレー光学系７０及び色分離光学系４０は、図３に示す第２実施形態の色分離投
射装置１４０等のように、一体的に組み立てることができる。
【００６７】
本実施形態のプロジェクタ４１０では、第１光変調装置４８０で照明光に対して輝度変
調が施され、リレー光学系７０を経て第２光変調装置４５０で輝度変調像に対して画像情
報変調が施され、投射光学系９０によって高コントラストのカラー画像がスクリーン上に
投射される。この際、第１光変調装置４８０に入射させる照明光として、光源ユニット２
０によって第１光源装置２１Ａからの照明光と第２光源装置２１Ｂからの照明光とを無駄
なく合成した単一の光束として均一照明光学系３０に導くので、高輝度の照明光によって
第１光変調装置４８０を照明することができ、結果的に明るい画像を投射することができ
る。
【００６８】
〔第６実施形態〕
以下、本発明の第６実施形態に係るプロジェクタについて説明する。なお、第６実施形
態のプロジェクタは、図５に示す第４実施形態のプロジェクタを一部変更したものであり
、特に説明しない部分については、第４実施形態と同様であるものとする。
【００６９】
図７は、第６実施形態のプロジェクタの全体構造を説明する図である。このプロジェク
タ５１０は、光源ユニット２０と、均一照明光学系３０と、色分離合成光学系５４０と、
第１光変調装置５５０と、リレー光学系７０と、第２光変調装置３８０と、投射光学系９
０と、システム光軸ＯＡに沿って順に配置して構成されている。
【００７０】
本実施形態では、第１光変調装置５５０として、透過変調型の液晶装置でなく反射偏光
型の液晶装置を組み込んでいる。第１光変調装置５５０は、３色の照明光ＬＲ，ＬＧ，Ｌ
Ｂがそれぞれ入射する３つの液晶パネル５５２ｒ，５５２ｇ，５５２ｂと、各液晶パネル
５５２ｒ，５５２ｇ，５５２ｂに対向して配置される波長板５５３ｒ，５５３ｇ，５５３
ｂとを備える。ここで、各色の液晶パネル５５２ｒ，５５２ｇ，５５２ｂと、波長板５５
３ｒ，５５３ｇ，５５３ｂとは、色分離合成光学系５４０の一部機能を含んで、照明光Ｌ
Ｒ，ＬＧ，ＬＢを画像情報に基づいて２次元的に画像情報変調するための液晶ライトバル
ブを構成する。
【００７１】
色分離合成光学系５４０は、入射側波長選択位相差板５４１ｃと、偏光ビームスプリッ
タ５４１ｄと、ダイクロイックプリズム５４１ｅと、光路補償プリズム５４１ｆと、射出
側波長選択位相差板５４１ｇとを備える。このうち、偏光ビームスプリッタ５４１ｄと、
ダイクロイックプリズム５４１ｅと、光路補償プリズム５４１ｆとは、射出端ＰＯ１〜Ｐ
Ｏ３が各液晶パネル５５２ｒ，５５２ｇ，５５２ｂに向くようにＬ字状に接合されている
。
【００７２】
入射側波長選択位相差板５４１ｃは、照明光ＬＲ，ＬＧ，ＬＢのうち例えば緑色光Ｇの
みをＰ偏光に変換し、赤色光ＬＲ及び青色光ＬＢをＳ偏光のままとする。入射側波長選択
位相差板５４１ｃを介して射出端ＰＩ１に入射した照明光のうち緑色光ＬＧは、偏光ビー
ムスプリッタ５４１ｄを透過して光路補償プリズム５４１ｆを直進し、波長板５５３ｇを
介して緑色用の液晶パネル５５２ｇに入射する。一方、射出端ＰＩ１に入射した照明光の
うち青色光ＬＢは、偏光ビームスプリッタ５４１ｄ内の偏光分離膜で反射されてダイクロ
イックプリズム５４１ｅを直進し、波長板５５３ｂを介して青色用の液晶パネル５５２ｂ
に入射する。また、射出端ＰＩ１に入射した照明光のうち赤色光ＬＲは、偏光ビームスプ
リッタ５４１ｄ内の偏光分離膜で反射され、さらにダイクロイックプリズム５４１ｅ内の
誘電体多層膜で反射され、波長板５５３ｒを介して赤色用の液晶パネル５５２ｒに入射す
る。
【００７３】
以下、各液晶パネル５５２ｒ，５５２ｇ，５５２ｂで変調されて反射・出力される各色
光ＬＲ，ＬＧ，ＬＢについて説明する。緑色用の液晶パネル５５２ｇで反射された変調光
ＬＧは、光路補償プリズム５４１ｆを直進し、偏光ビームスプリッタ５４１ｄ内の偏光分
離膜で反射され、射出側波長選択位相差板５４１ｇを例えばＳ偏光のまま通過する。また
、青色用の液晶パネル５５２ｂで反射された変調光ＬＢは、ダイクロイックプリズム５４
１ｅを直進し、偏光ビームスプリッタ５４１ｄを例えばＰ偏光のまま透過して、射出側波
長選択位相差板５４１ｇを例えばＰ偏光からＳ偏光に変換されつつ通過する。さらに、赤
色用の液晶パネル５５２ｒで反射された変調光ＬＲは、ダイクロイックプリズム５４１ｅ
内の誘電体多層膜で反射され、偏光ビームスプリッタ５４１ｄを例えばＰ偏光のまま透過
して、射出側波長選択位相差板５４１ｇを例えばＰ偏光からＳ偏光に変換されつつ通過す
る。
【００７４】
本実施形態のプロジェクタ５１０では、第１光変調装置５５０で照明光に対して画像情
報変調が施され、リレー光学系７０を経て第２光変調装置３８０で画像情報変調像に対し
て輝度変調が施され、投射光学系９０によって高コントラストのカラー画像がスクリーン
上に投射される。この際、第１光変調装置５５０に入射させる照明光として、光源ユニッ
ト２０によって第１光源装置２１Ａからの照明光と第２光源装置２１Ｂからの照明光とを
無駄なく合成した単一の光束として均一照明光学系３０に導くので、高輝度の照明光によ
って第１光変調装置５５０を照明することができ、結果的に明るい画像を投射することが
できる。
【００７５】
〔第７実施形態〕
以下、本発明の第７実施形態に係るプロジェクタについて説明する。なお、第７実施形
態のプロジェクタは、第６実施形態のプロジェクタを一部変更したものであり、特に説明
しない部分については、第６実施形態と同様であるものとする。
【００７６】
図８は、第７実施形態のプロジェクタの要部を説明する図である。本実施形態のプロジ
ェクタは、図７に示す色分離合成光学系５４０と第１光変調装置５５０とを、それぞれに
対応する色分離合成光学系６４０と第１光変調装置６５０とに置き換えたものである。
【００７７】
色分離合成光学系６４０は、偏光ビームスプリッタ６４７ａと、第１プリズム６４７ｂ
と、第２プリズム６４７ｃと、第３プリズム６４７ｄとを備える。このうち、偏光ビーム
スプリッタ６４７ａは、例えばＰ偏光の照明光ＬＲ，ＬＧ，ＬＢを透過させて、入射面Ｓ
１を介して第１プリズム６４７ｂ内に照明光ＬＲ，ＬＧ，ＬＢを入射させる。第１プリズ
ム６４７ｂ内に入射した照明光ＬＲ，ＬＧ，ＬＢのうち青色光ＬＢは、第１及び第２プリ
ズム６４７ｂ，６４７ｃの境界面Ｓ２に設けた誘電体多層膜で反射されて第１プリズム６
４７ｂを逆行し、入射面Ｓ１で全反射されて第１プリズム６４７ｂ外に射出され、第２光
変調装置６５０の緑色用の波長板５５３ｇ及び液晶パネル５５２ｇに入射する。また、第
１プリズム６４７ｂ内に入射した照明光ＬＲ，ＬＧ，ＬＢのうち赤色光ＬＲは、第１プリ
ズム６４７ｂを直進して第２プリズム６４７ｃに入射した後、第２及び第３プリズム６４
７ｃ，６４７ｄの境界面Ｓ３に設けた誘電体多層膜で反射されて第２プリズム６４７ｃを
逆行し、境界面Ｓ２で全反射されて第２プリズム６４７ｃ外に射出され、第２光変調装置
６５０の赤色用の波長板５５３ｒ及び液晶パネル５５２ｒに入射する。さらに、第１プリ
ズム６４７ｂ内に入射した照明光ＬＲ，ＬＧ，ＬＢのうち緑色光ＬＧは、第１及び第２プ
リズム６４７ｂ，６４７ｃを直進し、第３プリズム６４７ｄに入射してこれを直進して第
３プリズム６４７ｄ外に射出され、第２光変調装置６５０の緑色用の波長板５５３ｇ及び
液晶パネル５５２ｇに入射する。
【００７８】
以下、各液晶パネル５５２ｒ，５５２ｇ，５５２ｂで変調されて反射・出力される各色
光ＬＲ，ＬＧ，ＬＢについて説明する。各液晶パネル５５２ｒ，５５２ｇ，５５２ｂで反
射され射出された各色光ＬＲ，ＬＧ，ＬＢは、入射経路を逆行する。結果的に、変調後の
各色光ＬＲ，ＬＧ，ＬＢは、入射面Ｓ１を介して第１プリズム６４７ｂから偏光ビームス
プリッタ６４７ａに入射する。これらの変調光ＬＲ，ＬＧ，ＬＢは、例えばＳ偏光として
偏光ビームスプリッタ６４７ａ内の偏光分離膜で反射され、例えば偏光ビームスプリッタ
６４７ａ外に射出される。
【００７９】
本実施形態でも、第１光変調装置６５０に入射させる照明光として、図７に示す光源ユ
ニット２０によって第１光源装置２１Ａからの照明光と第２光源装置２１Ｂからの照明光
とを無駄なく合成した単一の光束として均一照明光学系３０に導くので、高輝度の照明光
によって第１光変調装置６５０を照明することができ、結果的に明るい画像を投射するこ
とができる。
【００８０】
〔第８実施形態〕
以下、本発明の第８実施形態に係るプロジェクタについて説明する。なお、第８実施形
態のプロジェクタは、図７に示す第６実施形態のプロジェクタを一部変更したものであり
、特に説明しない部分については、第６実施形態と同様であるものとする。
【００８１】
図９は、第８実施形態のプロジェクタの全体構造を説明する図である。このプロジェク
タ７１０は、光源ユニット２０と、均一照明光学系３０と、第１光変調装置７８０と、リ
レー光学系７０と、色分離合成光学系７４０と、第２光変調装置７５０と、投射光学系９
０とを、システム光軸ＯＡに沿って順に配置して構成されている。
【００８２】
ここで、光源ユニット２０、均一照明光学系３０、リレー光学系７０、及び投射光学系
９０については、第６実施形態と同様のものであるので説明を省略する。また、第１光変
調装置７８０と、色分離合成光学系７４０及び第２光変調装置７５０とは、リレー光学系
７０を介して配置が入れ替わっているだけであり、それぞれ第６実施形態で説明した第２
光変調装置３８０と、色分離合成光学系５４０及び第１光変調装置５５０と同様の構造を
有する。
【００８３】
なお、色分離合成光学系７４０及び第２光変調装置７５０については、第６実施形態の
プロジェクタ５１０同様に図８の色分離合成光学系６４０及び第１光変調装置６５０に置
き換えることができる。
【００８４】
本実施形態のプロジェクタ７１０では、第１光変調装置７８０で照明光に対して輝度変
調が施され、リレー光学系７０を経て第２光変調装置７５０で輝度変調像に対して画像情
報変調が施され、投射光学系９０によって高コントラストのカラー画像がスクリーン上に
投射される。この際、第１光変調装置７８０に入射させる照明光として、光源ユニット２
０によって第１光源装置２１Ａからの照明光と第２光源装置２１Ｂからの照明光とを無駄
なく合成した単一の光束として均一照明光学系３０に導くので、高輝度の照明光によって
第１光変調装置７８０を照明することができ、結果的に明るい画像を投射することができ
る。
【００８５】
〔第９実施形態〕
以下、本発明の第９実施形態に係るプロジェクタについて説明する。なお、第９実施形
態のプロジェクタは、図６に示す第５実施形態のプロジェクタを一部変更したものであり
、特に説明しない部分については、第５実施形態と同様であるものとする。
【００８６】
図１０は、第９実施形態のプロジェクタの全体構造を説明する図である。このプロジェ
クタ８１０は、光源ユニット２０と、均一照明光学系３０と、第１光変調装置８８０と、
リレー光学系７０と、色分離光学系４４０と、第２光変調装置４５０と、クロスダイクロ
イックプリズム６０と、投射光学系９０とを、システム光軸ＯＡに沿って順に配置して構
成されている。ここで、光源ユニット２０、均一照明光学系３０、リレー光学系７０、色
分離光学系４４０、第２光変調装置４５０、クロスダイクロイックプリズム６０、及び投
射光学系９０については、図６の第５実施形態と同様のものであるので説明を省略する。
【００８７】
第１光変調装置８８０は、デジタル・マイクロミラー・デバイス８８２のほか、光路折
曲ミラー８８６とレンズ８８７とを備える。デジタル・マイクロミラー・デバイス８８２
は、これに入射する照明光を、与えられた画像信号に応じて各画素に対応するマイクロミ
ラー単位で反射することにより、輝度変調画像の像光をリレー光学系７０の方向に射出す
る機能を有する反射方向制御型の光変調装置である。デジタル・マイクロミラー・デバイ
ス８８２から射出される像光は、リレー光学系７０及び色分離光学系４４０を介して、輝
度変調用の第２光変調部４５０において再結像され、第２光変調部４５０で画像情報変調
された像光は、投射光学系９０によってプロジェクタ８１０の前方に配置されたスクリー
ン（不図示）に投射される。
【００８８】
本実施形態のプロジェクタ８１０では、第１光変調装置８８０で照明光に対して輝度変
調が施され、リレー光学系７０を経て第２光変調装置４５０で輝度変調像に対して画像情
報変調が施され、投射光学系９０によって高コントラストのカラー画像がスクリーン上に
投射される。この際、第１光変調装置８８０に入射させる照明光として、光源ユニット２
０によって第１光源装置２１Ａからの照明光と第２光源装置２１Ｂからの照明光とを無駄
なく合成した単一の光束として均一照明光学系３０に導くので、高輝度の照明光によって
第１光変調装置８８０を照明することができ、結果的に明るい画像を投射することができ
る。
【００８９】
〔第１０実施形態〕
以下、本発明の第１０実施形態に係るプロジェクタについて説明する。なお、第１０実
施形態のプロジェクタは、図１０に示す第９実施形態のプロジェクタを一部変更したもの
であり、特に説明しない部分については、第９実施形態と同様であるものとする。
【００９０】
図１１は、第１０実施形態のプロジェクタの要部を説明する図である。本実施形態のプ
ロジェクタは、均一照明光学系３０を、異なるタイプの均一照明光学系８３０に置き換え
たものである。
【００９１】
均一照明光学系８３０は、集光レンズ８３１ｘと、偏光変換装置８３１と、ロッドイン
テグレータ８３３と、結像レンズ８３５とを備える。このうち、ロッドインテグレータ８
３３及び結像レンズ８３５は、均一化光学系を構成する。
【００９２】
均一照明光学系８３０のうち、偏光変換装置８３１は、光源ユニット２０の射出側に配
置された集光レンズ８３１ｘに対向した状態で、ロッドインテグレータ８３３の入射端に
取り付けられており、入射した照明光の偏光方向を揃える。この偏光変換装置８３１は、
２つの直角三角形プリズムＰ１，Ｐ２と平行四辺形プリズムＰ３とを貼り合わせることに
より形成されており、一方の直角三角形プリズムＰ１と平行四辺形プリズムＰ３との間に
挟まれた偏光分離膜８３１ａと、他方の直角三角形プリズムＰ２と平行四辺形プリズムＰ
３との間に挟まれた反射膜８３１ｂと、プリズムＰ１，Ｐ３のいずれか一方の射出側に配
置された波長板８３１ｄとを備える。偏光分離膜８３１ａと反射膜８３１ｂとは、各プリ
ズムの斜面上に蒸着によって形成された誘電体多層膜であり、システム光軸ＯＡに対して
４５°傾斜した状態で配置されている。これらのうち、偏光分離膜８３１ａは、光源ユニ
ット２０からの光束偏光のうち特定方向の直線偏光成分（例えばＰ偏光）を透過させると
ともにこれに直交する方向の直線偏光成分（例えばＳ偏光）を反射させ、結果的に直交す
る２つの直線偏光成分を効率よく分離する。また、反射膜８３１ｂは、偏光分離膜８３１
ａで反射された一方の直線偏光成分（例えばＳ偏光）を略完全に反射して光路を折り曲げ
る。この反射膜８３１ｂは、金属膜の蒸着ミラーに置き換えることもできる。波長板８３
１ｄは、１／２波長板で形成された位相素子であり、例えば反射膜８３１ｂで反射され平
行四辺形プリズムＰ３からシステム光軸ＯＡ方向に射出された直線偏光成分（例えばＳ偏
光）を、これに直交する成分の直線偏光成分（例えばＰ偏光）に変換する。
【００９３】
ロッドインテグレータ８３３は、システム光軸ＯＡに沿って延びる四角柱状の透明部材
からなる光学系であり、システム光軸ＯＡに垂直な矩形断面を有し、偏光変換装置８３１
に対向する入射ポートＩＰから入射した光源ユニット２０からの光束は、ロッドインテグ
レータ８３３を経てその射出側の射出ポートＯＰから射出される。ロッドインテグレータ
８３３は、入射ポートＩＰからの光束を複数の部分光束に分割するとともに、かかる部分
光束を重畳して射出ポートＯＰに入射させる均一化機能を有する。
【００９４】
結像レンズ８３５は、ロッドインテグレータ８３３の射出ポートＯＰの像を第１光変調
装置８８０のデジタル・マイクロミラー・デバイス８８２の被照射領域（画像情報が形成
される有効画素領域）に投影する。
【００９５】
本実施形態でも、第１光変調装置８８０に入射させる照明光として、光源ユニット２０
によって第１光源装置２１Ａからの照明光と第２光源装置２１Ｂからの照明光とを無駄な
く合成した単一の光束として均一照明光学系８３０に導くので、高輝度の照明光によって
第１光変調装置８８０を照明することができ、結果的に明るい画像を投射することができ
る。
【００９６】
図１２は、図１１に示す均一照明光学系８３０の変形例を説明する図である。この均一
照明光学系８３０’の場合、光源ユニット２０から射出される光源光は、集光されて光入
射孔８３９ａを介してロッドインテグレータ８３３内部に導入される。ロッドインテグレ
ータ８３３の入射端には、戻り光を反射するミラー８３９が設けられており、ロッドイン
テグレータ８３３の射出端には、（λ／４）板８３８ａと偏光板８３８ｂとが順次設けら
れている。ミラー８３９に設けた開口である光入射孔８３９ａから入射した光源光は、内
部で反射を繰り返すことによって分割され（λ／４）板８３８ａ及び偏光板８３８ｂを経
て射出ポートＯＰから均一化された照明光として射出される。偏光板８３８ｂは、反射型
の偏光板であり、例えばＰ偏光を透過させるがＳ偏光を反射する。よって、偏光板８３８
ｂで反射されたＳ偏光は、（λ／４）板８３８ａを逆行する際に円偏光に変換され、ミラ
ー８３９で反射されて再度（λ／４）板８３８ａを通過する際にＰ偏光になる。よって、
戻り光がロッドインテグレータ８３３及び（λ／４）板８３８ａを往復することによって
偏光板８３８ｂを通過し、ロッドインテグレータ８３３に取り込まれた光源光が効率よく
特定方向の偏光に変換されて射出ポートＯＰから射出される。
【００９７】
〔第１１実施形態〕
以下、本発明の第１０実施形態に係るプロジェクタについて説明する。なお、第１０実
施形態のプロジェクタは、図１１に示す第９、或いは第１０実施形態のプロジェクタを一
部変更したものであり、特に説明しない部分については、第９、１０実施形態と同様であ
るものとする。
【００９８】
図１３は、第１０実施形態のプロジェクタの全体構造を説明する図である。このプロジ
ェクタ９１０は、光源ユニット２０と、均一照明光学系９３０と、第１光変調装置８８０
と、リレー光学系７０と、色分離光学系４４０と、第２光変調装置３８０と、投射光学系
９０とを、システム光軸ＯＡに沿って順に配置して構成されている。ここで、光源ユニッ
ト２０、第１光変調装置８８０、リレー光学系７０、第２光変調装置３８０、及び投射光
学系９０については、第９、或いは第１０実施形態と同様のものであるので説明を省略す
る。
【００９９】
均一照明光学系９３０については、図１２で説明した均一照明光学系８３０と同様のも
のであるが、ロッドインテグレータ８３３の射出ポートＯＰと結像レンズ８３５との間に
カラーホイール９３６を設けた構造となっている。
【０１００】
ロッドインテグレータ８３３を通過して射出ポートＯＰから射出された照明光は、カラ
ーホイール９３６に入射する。カラーホイール９３６は、図示を省略するモータによって
回転可能になっており、ロッドインテグレータ８３３の射出ポートＯＰに対向配置される
フィルタ面９３６ａには、Ｒ、Ｇ、及びＢの３色の円形フィルタが３等分されて扇状に形
成されている。フィルタ面９３６ａは、ロッドインテグレータ８３３から射出された照明
光をＲＧＢの３色に時系列的に色分割して射出する。カラーホイール９３６の後段に設け
た結像レンズ８３５は、ロッドインテグレータ８３３の射出ポートＯＰの像を第１光変調
装置８８０上に形成し、第１光変調装置８８０の均一な照明が達成される。第１光変調装
置８８０は、デジタル・マイクロミラー・デバイス８８２を備え、デジタル・マイクロミ
ラー・デバイス８８２は、カラーホイール９３６からの照明光の入射に同期して、これに
入射する照明光を与えられた画像信号に応じて各画素に対応するマイクロミラーで反射す
る。デジタル・マイクロミラー・デバイス８８２から射出される像光は、リレー光学系７
０を介して、輝度変調用の第２光変調部３８０において再結像され、第２光変調部３８０
で輝度変調された像光は、投射光学系９０によってプロジェクタ９１０の前方に配置され
たスクリーン（不図示）に投射される。
【０１０１】
本実施形態でも、第１光変調装置８８０に入射させる照明光として、光源ユニット２０
によって第１光源装置２１Ａからの照明光と第２光源装置２１Ｂからの照明光とを無駄な
く合成した単一の光束として均一照明光学系３０に導くので、高輝度の照明光によって第
１光変調装置８８０を照明することができ、結果的に明るい画像を投射することができる
。
【０１０２】
なお、この発明は、上記の実施形態に限られるものではなく、その要旨を逸脱しない範
囲において種々の態様において実施することが可能であり、例えば次のような変形も可能
である。
【０１０３】
すなわち、上記第１〜第１１実施形態において、照明光や像光としての各色光ＲＧＢの
光路は、誘電体多層膜の設計変更等により互いに入れ替えることができる。
【０１０４】
また、プロジェクタとしては、投射面を観察する方向から画像投射を行う前面プロジェ
クタと、投射面を観察する方向とは反対側から画像投射を行う背面プロジェクタ（リアプ
ロジェクタ）とがあるが、図１、４等に示すプロジェクタ１０，１１０，２１０，３１０
，４１０，５１０，７１０，８１０，９１０の構成は、いずれにも適用可能である。
【図面の簡単な説明】
【０１０５】
【図１】第１実施形態に係るプロジェクタの光学系を説明する図である。
【図２】図１のプロジェクタに組み込まれる光源ユニット等を説明する拡大図である。
【図３】第２実施形態に係るプロジェクタの光学系を説明する図である。
【図４】第３実施形態に係るプロジェクタの光学系を説明する図である。
【図５】第４実施形態に係るプロジェクタの光学系を説明する図である。
【図６】第５実施形態に係るプロジェクタの光学系を説明する図である。
【図７】第６実施形態に係るプロジェクタの光学系を説明する図である。
【図８】第７実施形態に係るプロジェクタの要部を説明する図である。
【図９】第８実施形態に係るプロジェクタの光学系を説明する図である。
【図１０】第９実施形態に係るプロジェクタの光学系を説明する図である。
【図１１】第１０実施形態に係るプロジェクタの要部を説明する図である。
【図１２】図１１のプロジェクタの変形例を説明する図である。
【図１３】第１１実施形態に係るプロジェクタの光学系を説明する図である。
【符号の説明】
【０１０６】
１０…プロジェクタ、  ２０…光源ユニット、  ２１…主反射鏡、  ２１Ａ…第１光源
装置、  ２１Ｂ…第２光源装置、  ２１ａ…光源ランプ、  ２１ｂ…主反射鏡、  ２１ｃ
…副反射鏡、  ２４…照明光結合部、  ２５Ａ…第１偏光変換部、  ２５Ｂ…第２偏光変
換部、  ２５ａ…偏光分離膜、  ２５ｂ…反射膜、  ２５ｄ…波長板、  ２６…偏光ビー
ムスプリッタ、  ２６ａ…偏光分離膜、  ３０…均一照明光学系、  ３２…オプティカル
インテグレータ、  ３４…偏光変換部材、  ４０…色分離光学系、  ５０…第１光変調装
置、  ５２ｒ，５２ｇ，５２ｂ…液晶パネル、  ６０…クロスダイクロイックプリズム、
６０、…クロスダイクロイックプリズム、  ７０…リレー光学系、  ７１…結像レンズ
、  ８０…第２光変調装置、  ８２ａ…液晶パネル、  ９０…投射光学系、  ＬＲ，ＬＧ
，ＬＢ…各色光、  ＯＡ…システム光軸、  ＯＡ１，ＯＡ２…光源光軸
【図１】
2007219222.tif 000003
【図２】
2007219222.tif 000004
【図３】
2007219222.tif 000005
【図４】
2007219222.tif 000006
【図５】
2007219222.tif 000007
【図６】
2007219222.tif 000008
【図７】
2007219222.tif 000009
【図８】
2007219222.tif 000010
【図９】
2007219222.tif 000011
【図１０】
2007219222.tif 000012
【図１１】
2007219222.tif 000013
【図１２】
2007219222.tif 000014
【図１３】
2007219222.tif 000015